(57)【特許請求の範囲】
【請求項１】
エレベータの昇降体に設けられ、前記昇降体を案内するガイドレールに油を供給するエレベータガイドレール給油装置であって、
前記油を貯留する給油槽と、
前記給油槽に貯留された前記油に浸され、前記ガイドレールに接触する固定給油部材と、
前記給油槽に貯留された前記油に浸され、前記ガイドレールに接触する接触位置と前記ガイドレールから離れる離間位置との間で変位する可動給油部材と、
温度の変化に応じて前記可動給油部材を変位させる変位装置と
を備えたことを特徴とするエレベータガイドレール給油装置。
【請求項２】
前記変位装置は、温度の変化に応じて変形するバイメタルから構成された変形部材を有しており、前記変形部材の変形にともなって、前記可動給油部材を変位させることを特徴とする請求項１に記載のエレベータガイドレール給油装置。
【請求項３】
エレベータの昇降体を案内するガイドレールに油を給油するエレベータガイドレール給油方法であって、
前記油に浸された固定給油部材が前記ガイドレールに接触する固定給油部材給油工程と、
前記油に浸された可動給油部材が、温度の変化に応じて、前記ガイドレールに接触する接触位置と前記ガイドレールから離れる離間位置との間で変位する可動給油部材変位工程と
を備えたことを特徴とするエレベータガイドレール給油方法。
【発明の詳細な説明】
【技術分野】
【０００１】
この発明は、昇降路を昇降する昇降体を案内するガイドレールに油を供給するエレベータガイドレール給油装置およびエレベータガイドレール給油方法に関する。
【背景技術】
【０００２】
従来、油を貯留する給油槽と、給油槽に貯留された油に浸されガイドレールに接触することにより給油槽の油をガイドレールに供給する給油部材と、給油部材に設けられ、給油部材における油の流路断面積を変化させることによって、給油部材を流れる油の量を調節する油量調節装置とを備えたエレベータガイドレール給油装置が知られている。油量調節装置は、給油部材を挟む一対の板部材と、一対の板部材の間の距離を変化させる距離変化部材とを有している。距離変化部材は、温度の変化により変形するバイメタルを含んでおり、温度の変化によって、一対の板部材の間の距離を変化させる。温度が高い場合には、給油部材の流路断面積が小さくなり、温度が低い場合には、給油部材の流路断面積が大きくなる。これにより、温度が変化することによって油の粘度が変化するものの、温度の変化によって発生する給油部材を流れる油の量の変化が低減される。その結果、温度の変化によって発生するガイドレールに供給される油の量の変化が低減される（例えば、特許文献１参照）。
【先行技術文献】
【特許文献】
【０００３】
【特許文献１】特開２０００−１３６０７７号公報
【発明の概要】
【発明が解決しようとする課題】
【０００４】
しかしながら、油量調節装置は、給油部材を挟む一対の板部材と、これらの板部材の間の距離を変化させる距離変化部材とを有しており、距離変化部材は、温度が上がることによって板部材の間の距離を小さくするバイメタルと、バイメタルにより発生する力の方向に反対の方向、つまり、一対の板部材の間の距離を大きくする方向に付勢するばねとを含んでいる。温度が下がるときに一対の板部材の間の距離を大きくするためのばねが必要であるので、エレベータガイドレール給油装置の構成が複雑になってしまうという問題点があった。
【０００５】
この発明は、温度の変化によって発生するガイドレールに供給される油の量の変化を低減させるとともに、構成を簡単にすることができるエレベータガイドレール給油装置およびエレベータガイドレール給油方法を提供するものである。
【課題を解決するための手段】
【０００６】
この発明に係るエレベータガイドレール給油装置は、エレベータの昇降体に設けられ、前記昇降体を案内するガイドレールに油を供給するエレベータガイドレール給油装置であって、前記油を貯留する給油槽と、前記給油槽に貯留された前記油に浸され、前記ガイドレールに接触する固定給油部材と、前記給油槽に貯留された前記油に浸され、前記ガイドレールに接触する接触位置と前記ガイドレールから離れる離間位置との間で変位する可動給油部材と、温度の変化に応じて前記可動給油部材を変位させる変位装置とを備えている。
【０００７】
この発明に係るエレベータガイドレール給油方法は、エレベータの昇降体を案内するガイドレールに油を給油するエレベータガイドレール給油方法であって、前記油に浸された固定給油部材が前記ガイドレールに接触する固定給油部材給油工程と、前記油に浸された可動給油部材が、温度の変化に応じて、前記ガイドレールに接触する接触位置と前記ガイドレールから離れる離間位置との間で変位する可動給油部材変位工程とを備えている。
【発明の効果】
【０００８】
この発明に係るエレベータガイドレール給油装置によれば、油を貯留する給油槽と、給油槽に貯留された油に浸され、ガイドレールに接触する固定給油部材と、給油槽に貯留された油に浸され、ガイドレールに接触する接触位置とガイドレールから離れる離間位置との間で変位する可動給油部材と、温度の変化に応じて可動給油部材を変位させる変位装置とを備えているので、温度が所定値よりも高い場合には、可動給油部材を離間位置に変位させ、温度が所定値よりも低い場合には、可動給油部材を接触位置に変位させることができる。これにより、温度が変化することによって油の粘度が変化するものの、温度の変化によって発生するガイドレールに供給される油の量の変化を低減させることができる。また、可動給油部材が変位することによってガイドレールに供給される油の量が調節されるので、エレベータガイドレール給油装置の構成を簡単にすることができる。
【０００９】
この発明に係るエレベータガイドレール給油方法によれば、油に浸された固定給油部材がガイドレールに接触する固定給油部材給油工程と、油に浸された可動給油部材が、温度の変化に応じて、ガイドレールに接触する接触位置とガイドレールから離れる離間位置との間で変位する可動給油部材変位工程とを備えているので、温度が所定値よりも高い場合には、可動給油部材を離間位置に変位させ、温度が所定値よりも低い場合には、可動給油部材を接触位置に変位させることができる。これにより、温度が変化することによって油の粘度が変化するものの、温度の変化によって発生するガイドレールに供給される油の量の変化を低減させることができる。また、可動給油部材が変位することによってガイドレールに供給される油の量が調節されるので、エレベータガイドレール給油装置の構成を簡単にすることができる。
【図面の簡単な説明】
【００１０】
【図１】この発明の実施の形態１に係るエレベータを示す正面図である。
【図２】図１の給油装置を示す平面図である。
【図３】図２のＩＩＩ−ＩＩＩ線に沿った矢視断面図である。
【図４】図２の可動灯芯が離間位置に変位した状態の給油装置を示す平面図である。
【図５】図４のＶ−Ｖ線に沿った矢視断面図である。
【発明を実施するための形態】
【００１１】
実施の形態１．
図１はこの発明の実施の形態１に係るエレベータを示す正面図である。図において、エレベータは、昇降路に設けられた一対のガイドレール１と、ガイドレール１に案内されて昇降路を移動するかご（昇降体）２と、各ガイドレール１に油を供給する一対の給油装置（エレベータガイドレール給油装置）３とを備えている。
【００１２】
かご２は、かご本体２１と、かご本体２１の上部に設けられた一対の上部ガイドシュー２２と、かご本体２１の下部に設けられた一対の下部ガイドシュー２３とを有している。上部ガイドシュー２２および下部ガイドシュー２３は、ガイドレール１に摺動される。かご２は、上部ガイドシュー２２および下部ガイドシュー２３がガイドレール１に摺動されることにより、ガイドレール１に案内される。
【００１３】
給油装置３は、ガイドレール１に対する上部ガイドシュー２２の摺動およびガイドレール１に対する下部ガイドシュー２３の摺動がスムーズに行われるために、ガイドレール１に油を供給する。ガイドレール１への油の供給が不足する場合には、摺動にともなう異音が発生したり、ガイドレール１、上部ガイドシュー２２および下部ガイドシュー２３の摩耗が発生したりする。一方、ガイドレール１へ供給される油の量が過多の場合には、油の飛散により昇降路が汚れたり、かご２の内部に油が染み出したりする恐れがある。
【００１４】
給油装置３は、一対の上部ガイドシュー２２のそれぞれの上部に設けられている。図２は図１の給油装置３を示す平面図、図３は図２のＩＩＩ−ＩＩＩ線に沿った矢視断面図である。図において、給油装置３は、油を貯留する給油槽３１と、給油槽３１に貯留された油に浸され、ガイドレール１に接触する一対の固定灯芯（固定給油部材）３２と、給油槽３１に貯留された油に浸され、ガイドレール１に接触する接触位置とガイドレール１から離れる離間位置との間で変位する一対の可動灯芯（可動給油部材）３３と、固定灯芯３２を給油槽３１に対して固定する固定部材３４と、温度の変化に応じて各可動灯芯３３を変位させる一対の変位装置３５とを備えている。
【００１５】
固定灯芯３２は、油が浸透する繊維から構成されている。なお、固定灯芯３２は、繊維に限らず、例えば、油が浸透するフェルトなどから構成されてもよい。固定灯芯３２の下部は、給油槽３１に貯留された油に浸されている。固定灯芯３２の上部は、給油槽３１に貯留された油の油面よりも上方に位置し、ガイドレール１の側面に対向している。一対の固定灯芯３２の上部は、互いに対向して配置されている。一対の固定灯芯３２は、各固定灯芯３２の上部の間にガイドレール１が位置するように配置されている。各固定灯芯３２の上部は、温度の変化に関係なく、常に、ガイドレール１に接触する。これにより、固定灯芯３２は、給油槽３１の油を常にガイドレール１に供給する。固定灯芯３２によりガイドレール１に供給される油の量は、温度の変化により油の粘度が変化するので、温度の変化によって、変化する。つまり、夏季など、温度が高い場合には、油の粘度が低くなるので、固定灯芯３２によりガイドレール１に供給される油の量が増大する。一方、冬季など、温度が低い場合には、油の粘度が高くなるので、固定灯芯３２によりガイドレール１に供給される油の量が減少する。
【００１６】
可動灯芯３３は、固定灯芯３２と同様に、油が浸透する繊維から構成されている。なお、可動灯芯３３は、繊維に限らず、例えば、油が浸透するフェルトなどから構成されてもよい。可動灯芯３３の下部は、給油槽３１に貯留された油に浸されている。可動灯芯３３の上部は、給油槽３１に貯留された油の油面よりも上方に位置し、ガイドレール１の側面に対向している。一対の可動灯芯３３の上部は、互いに対向して配置されている。一対の可動灯芯３３は、各可動灯芯３３の上部の間にガイドレール１が位置するように配置されている。各可動灯芯３３の上部は、可動灯芯３３の位置が接触位置である場合に、ガイドレール１に接触し、可動灯芯３３の位置が離間位置である場合に、ガイドレール１から離れる。可動灯芯３３の上部は、可動灯芯３３の位置が接触位置である場合に固定灯芯３２の上部を通る鉛直線上に位置するように配置されている。つまり、可動灯芯３３は、可動灯芯３３の位置が接触位置である状態でかご２が下降する場合に、固定灯芯３２により油が供給されたガイドレール１の部分に接触するように配置されている。可動灯芯３３は、可動灯芯３３がガイドレール１に接触することにより、給油槽３１の油をガイドレール１に供給する。
【００１７】
変位装置３５は、可動灯芯３３の上部に取り付けられた保持部材３５１と、給油槽３１に取り付けられた固定部材３５２と、保持部材３５１と固定部材３５２との間に設けられ、バイメタルから構成された変形部材３５３とを有している。変形部材３５３は、温度が所定値よりも低い場合に可動灯芯３３の位置を接触位置に変位させるように配置されている。図４は図２の可動灯芯３３が離間位置に変位した状態の給油装置３を示す平面図、図５は図４のＶ−Ｖ線に沿った矢視断面図である。変形部材３５３は、温度が所定値よりも高い場合には、可動灯芯３３の位置が離間位置となるように変形する。温度が所定値よりも低い場合には、固定灯芯３２によりガイドレール１に供給される油の量が減少するものの、可動灯芯３３が接触位置に変位して、可動灯芯３３によりガイドレール１に油が供給される。一方、温度が所定値よりも高い場合には、固定灯芯３２によりガイドレール１に供給される油の量が増大するものの、可動灯芯３３が離間位置に変位して、可動灯芯３３によるガイドレール１への油の供給が停止する。可動灯芯３３を変位させるための基準となる所定値は、任意に設定される。
【００１８】
次に、給油装置３の動作について説明する。給油槽３１に貯留された油に浸された固定灯芯３２は、ガイドレール１に接触する（固定給油部材給油工程）。これにより、給油槽３１に貯留された油は、固定灯芯３２を介して、常に、ガイドレール１に供給される。
【００１９】
給油槽３１に貯留された油に浸された可動灯芯３３は、温度の変化に応じて、接触位置と離間位置との間で変位する。温度が所定値よりも低い場合には、可動灯芯３３は、接触位置に変位する（可動給油部材変位工程）。可動灯芯３３の位置が接触位置である場合には、給油槽３１に貯留された油は、可動灯芯３３を介して、ガイドレール１に供給される。温度が所定値よりも低いので、油の粘度が高くなり、これにより、固定灯芯３２を介してガイドレール１に供給される油の量が減少するものの、この減少する油の量を補うように、可動灯芯３３を介してガイドレール１に油が供給される。一方、温度が所定値よりも高い場合には、可動灯芯３３は、離間位置に変位する（可動給油部材変位工程）。可動灯芯３３の位置が離間位置である場合には、給油槽３１に貯留された油は、可動灯芯３３を介してガイドレール１に供給されることが停止される。温度が所定値よりも高いので、油の粘度が低くなり、これにより、固定灯芯３２を介してガイドレール１に供給される油の量が増大するものの、この増大する油の量に対応するように、可動灯芯３３を介してガイドレール１に油が供給されることが停止される。
【００２０】
以上説明したように、この発明の実施の形態１に係る給油装置３によれば、油を貯留する給油槽３１と、給油槽３１に貯留された油に浸され、ガイドレール１に接触する固定灯芯３２と、給油槽３１に貯留された油に浸され、ガイドレール１に接触する接触位置とガイドレール１から離れる離間位置との間で変位する可動灯芯３３と、温度の変化に応じて可動灯芯３３を変位させる変位装置３５とを備えているので、温度が所定値よりも高い場合には、可動灯芯３３を離間位置に変位させ、温度が所定値よりも低い場合には、可動灯芯３３を接触位置に変位させることができる。これにより、温度が変化することによって油の粘度が変化するものの、温度の変化によって発生するガイドレール１に供給される油の量の変化を低減させることができる。また、可動灯芯３３が変位することによってガイドレール１に供給される油の量が調節されるので、給油装置３の構成を簡単にすることができる。また、可動灯芯３３は、可動灯芯３３の位置が離間位置である場合に、ガイドレール１に非接触となるので、可動灯芯３３とガイドレール１との接触により発生する摩耗を低減させることができる。
【００２１】
また、変位装置３５は、温度の変化に応じて変形するバイメタルから構成された変形部材３５３を有しており、変形部材３５３の変形にともなって、可動灯芯３３を変位させるので、簡単な構成で、可動灯芯３３を接触位置と離間位置との間で変位させることができる。
【００２２】
また、この発明の実施の形態１に係るエレベータガイドレール給油方法によれば、油に浸された固定灯芯３２がガイドレール１に接触する固定給油部材給油工程と、油に浸された可動灯芯３３が、温度の変化に応じて、ガイドレール１に接触する接触位置とガイドレール１から離れる離間位置との間で変位する可動給油部材変位工程とを備えているので、温度が所定値よりも高い場合には、可動灯芯３３を離間位置に変位させ、温度が所定値よりも低い場合には、可動灯芯３３を接触位置に変位させることができる。これにより、温度が変化することによって油の粘度が変化するものの、温度の変化によって発生するガイドレール１に供給される油の量の変化を低減させることができる。また、可動灯芯３３が変位することによってガイドレール１に供給される油の量が調節されるので、給油装置３の構成を簡単にすることができる。また、可動灯芯３３は、可動灯芯３３の位置が離間位置である場合に、ガイドレール１に非接触となるので、可動灯芯３３とガイドレール１との接触により発生する摩耗を低減させることができる。
【００２３】
なお、上記実施の形態１では、エレベータのかご２に設けられ、かご２を案内するガイドレール１に油を供給する給油装置３について説明したが、エレベータの釣合い錘（昇降体）に設けられ、釣合い錘を案内するガイドレールに油を給油する給油装置であってもよい。
【００２４】
また、上記実施の形態１では、変位装置３５は、温度の変化に応じて変形するバイメタルから構成された変形部材３５３を有した構成について説明したが、変位装置３５は、温度の変化に応じて可動灯芯３３を変位させためのその他の構成であってもよい。
【符号の説明】
【００２５】
１  ガイドレール、２  かご（昇降体）、３  給油装置（エレベータガイドレール給油装置）、２１  かご本体、２２  上部ガイドシュー、２３  下部ガイドシュー、３１  給油槽、３２  固定灯芯（固定給油部材）、３３  可動灯芯（可動給油部材）、３４  固定部材、３５  変位装置、３５１  保持部材、３５２  固定部材、３５３  変形部材。
【図１】
0005665708.tif 000002
【図２】
0005665708.tif 000003
【図３】
0005665708.tif 000004
【図４】
0005665708.tif 000005
【図５】
0005665708.tif 000006